【事件の表示】
　特願２００６−　７０３３４「情報処理装置及びプログラム」拒絶査定不服審判事件〔平成１９年　９月２７日出願公開、特開２００７−２４９４６１〕について、次のとおり審決する。
【結　論】
　本件審判の請求は、成り立たない。
【理　由】
第１　手続の経緯
　本願は、平成１８年３月１５日の出願であって、平成２１年１月２１日付けの拒絶理由通知に対して、平成２１年３月２５日付けで補正書が提出されたが、平成２１年７月３１日付けで拒絶査定がなされ、これに対し、平成２１年１１月６日に拒絶査定に対する審判請求がなされるとともに、同日付けで手続補正がなされたものである。
　
第２　平成２１年１１月６日付けの手続補正についての補正却下の決定
[補正却下の決定の結論]
　平成２１年１１月６日付けの手続補正を却下する。
　
[理由]
１．補正前の特許請求の範囲
　本件補正前の平成２１年３月２５日付けの手続補正により補正された特許請求の範囲は、以下のとおりである。
「【請求項１】
　画像形成装置にプリント指示を送信する情報処理装置であって、
　表示画面を備える表示手段と、
　ポインティングデバイスからの出力信号を受け付けるポインティングデバイス出力信号受付手段と、
　操作者の手指が入力のため押下した位置が異なる場合に、位置ごとに異なる信号を出力する入力デバイスからの出力信号を受け付ける入力デバイス出力信号受付手段と、
　前記表示画面に、前記画像形成装置を表す第１のアイコン、及びプリント対象文書を表す第２のアイコンを、それぞれ表示させるアイコン表示手段と、
　前記表示画面上において、前記ポインティングデバイスを用いて前記第２のアイコンがドラッグされ、前記第１のアイコン上でドロップされたこと、又は、前記第１のアイコンがドラッグされ、前記第２のアイコン上でドロップされたことを検出するドロップ検出手段と、
　前記ドロップ検出手段によりドロップされたことが検出された場合に、前記入力デバイスから出力されている信号を検知する入力信号検知手段と、
　前記入力信号検知手段が検知した信号と、プリント条件との対応関係を保持するプリント条件保持手段と、
　前記ドロップ検出手段によりドロップされたことが検出された場合に、前記第１のアイコンにより表される画像形成装置に、前記第２のアイコンにより表されるプリント対象文書を、前記入力信号検知手段が検知した信号に対応するプリント条件によりプリントすることを指示するプリント指示を送信するように制御するプリント指示手段とを備え、
　前記アイコン表示手段は、
　前記第２のアイコンにより表されるプリント対象文書が、前記第１のアイコンにより表される画像形成装置で処理不可能である場合に、前記第１のアイコンの表示を変更する
　ことを特徴とする情報処理装置。
　　【請求項２】
　前記情報処理装置は、さらに、
　前記第２のアイコンがドラッグされ、前記第１のアイコンと重なったこと、又は前記第１のアイコンがドラッグされ、前記第２のアイコンと重なったことを検出するアイコン重なり検出手段と、
　前記アイコン重なり手段により重なりが検出された場合に、前記第１のアイコンで表される画像形成装置について前記プリント条件保持手段に保持されている、前記入力信号検知手段が検知した信号とプリント条件とを表示するプリント条件表示手段とを備える
　ことを特徴とする請求項１に記載の情報処理装置。
　　【請求項３】
　前記情報処理装置は、さらに、
　前記第２のアイコンにより表されるプリント対象文書につき、前記第１のアイコンにより表される画像形成装置について前記プリント条件格納手段に格納されたそれぞれのプリント条件で処理可能か否かを判定するプリント条件可否判定手段を備え、
　前記プリント条件表示手段は、
　処理可能なプリント条件と処理不可能なプリント条件とを識別可能に表示する
　ことを特徴とする請求項２に記載の情報処理装置。
　　【請求項４】
　前記情報処理装置は、さらに、
　前記第２のアイコンにより表されるプリント対象文書を格納したファイルにプリント条件が格納されているか否かを判定するプリント条件格納判定手段と、
　プリント条件が格納されている場合にプリント条件を抽出するプリント条件抽出手段と、
　前記第１のアイコンにより表される画像形成装置について前記プリント条件格納手段に格納されたそれぞれのプリント条件と、前記プリント条件抽出手段により抽出されたプリント条件とが矛盾しないかを判定するプリント条件矛盾判定手段とを備え、
　前記プリント条件表示手段は、
　矛盾するプリント条件と矛盾しないプリント条件とを識別可能に表示する
　ことを特徴とする請求項２に記載の情報処理装置。
　　【請求項５】
　前記情報処理装置は、
　前記第２のアイコンが前記ポインティングデバイスにより選択、若しくはドラッグされたこと、又は、前記第１のアイコンが前記ポインティングデバイスにより選択、若しくはドラッグされたことを検出する選択ドラッグ検出手段を備える
　ことを特徴とする請求項１に記載の情報処理装置。
　　【請求項６】
　画像形成装置にプリント指示を送信する情報処理装置であって、
　表示画面を備える表示手段と、
　ポインティングデバイスからの出力信号を受け付けるポインティングデバイス出力信号受付手段と、
　操作者の手指が入力のため押下した位置が異なる場合に、位置ごとに異なる信号を出力する入力デバイスからの出力信号を受け付ける入力デバイス出力信号受付手段と、
　前記表示画面に、前記画像形成装置を表す第１のアイコン、及びプリント対象文書を表す第２のアイコンを、それぞれ表示させるアイコン表示手段と、
　前記表示画面上において、前記ポインティングデバイスのクリックにより前記第２のアイコンが選択されたこと、及び、前記第２のアイコンが選択されている状態において、前記ポインティングデバイスのクリックにより、さらに前記第１のアイコンが選択されたことを検出するアイコン選択検出手段と、
　前記アイコン選択検出手段により、前記第１のアイコンが選択されたことが検出された場合に、前記入力デバイスから出力されている信号を検知する入力信号検知手段と、
　前記入力信号検知手段が検知した信号と、プリント条件との対応関係を保持するプリント条件保持手段と、
　前記アイコン選択検出手段により、前記第１のアイコンが選択されたことが検出された場合に、前記第１のアイコンにより表される画像形成装置に、前記第２のアイコンにより表されるプリント対象文書を、前記入力信号検知手段が検知した信号に対応するプリント条件によりプリントすることを指示するプリント指示を送信するように制御するプリント指示手段とを備え、
　前記アイコン表示手段は、
　前記第２のアイコンにより表されるプリント対象文書が、前記第１のアイコンにより表される画像形成装置で処理不可能である場合に、前記第１のアイコンの表示を変更する
　ことを特徴とする情報処理装置。
　　【請求項７】
　前記アイコン表示手段は、
　前記アイコン選択検出手段により第２のアイコンが選択されたことが検出された場合、
前記第２のアイコンにより表されるプリント対象文書が、前記第１のアイコンにより表される画像形成装置で処理不可能である場合に、前記第１のアイコンの表示を変更する
　ことを特徴とする請求項６に記載の情報処理装置。
　　【請求項８】
　画像形成装置にプリント指示を送信する情報処理装置であって、
　表示画面を備える表示手段と、
　ポインティングデバイスからの出力信号を受け付けるポインティングデバイス出力信号受付手段と、
　操作者の手指が入力のため押下した位置が異なる場合に、位置ごとに異なる信号を出力する入力デバイスからの出力信号を受け付ける入力デバイス出力信号受付手段と、
　前記表示画面に、前記画像形成装置を表す第１のアイコン、及びプリント対象文書を表す第２のアイコンを、それぞれ表示させるアイコン表示手段と、
　前記表示画面上において、前記ポインティングデバイスのクリックにより前記第１のアイコンが選択されたこと、及び、前記第１のアイコンが選択されている状態において、前記ポインティングデバイスのクリックにより、さらに前記第２のアイコンが選択されたことを検出するアイコン選択検出手段と、
　前記アイコン選択検出手段により、前記第２のアイコンが選択されたことが検出された場合に、前記入力デバイスから出力されている信号を検知する入力信号検知手段と、
　前記入力信号検知手段が検知した信号と、プリント条件との対応関係を保持するプリント条件保持手段と、
　前記アイコン選択検出手段により、前記第２のアイコンが選択されたことが検出された場合に、前記第１のアイコンにより表される画像形成装置に、前記第２のアイコンにより表されるプリント対象文書を、前記入力信号検知手段が検知した信号に対応するプリント条件によりプリントすることを指示するプリント指示を送信するように制御するプリント指示手段とを備え、
　前記アイコン表示手段は、
　前記第２のアイコンにより表されるプリント対象文書が、前記第１のアイコンにより表される画像形成装置で処理不可能である場合に、前記第２のアイコンの表示を変更する
　ことを特徴とする情報処理装置。
　　【請求項９】
　前記アイコン表示手段は、
　前記アイコン選択検出手段により第１のアイコンが選択されたことが検出された場合、
前記第２のアイコンにより表されるプリント対象文書が、前記第１のアイコンにより表される画像形成装置で処理不可能である場合に、前記第２のアイコンの表示を変更する
　ことを特徴とする請求項８に記載の情報処理装置。
　　【請求項１０】
　前記入力デバイスは、複数のキーを備え、操作者が押下したキーが異なる場合に、キーごとに異なる信号を出力する
　ことを特徴とする請求項１から９のいずれかに記載の情報処理装置。
　　【請求項１１】
　画像形成装置及び文書フォーマットごとに処理性能を表す情報を取得する処理性能情報取得手段と、
　前記第２のアイコンで表されるプリント対象文書を前記第１の画像形成装置でプリントした場合の処理性能を表す情報を抽出する処理性能情報抽出手段と、
　抽出された処理性能を表す情報に基づいて、以後の処理を切り替える切り替え手段とを備える
　ことを特徴とする請求項１から１０のいずれかに記載の情報処理装置。
　　【請求項１２】
　前記処理性能を表す情報は、
　文書フォーマットごとに予め準備された文書を、各々の画像形成装置でプリントした場合の処理時間を表す情報である
　ことを特徴とする請求項１１に記載の情報処理装置。
　　【請求項１３】
　前記情報処理装置は、
　操作者の識別子を取得する操作者識別子取得手段を備え、
　前記アイコン表示手段は、
　操作者が、前記第１のアイコンにより表される画像形成装置の利用を許可されていない場合に、前記第１のアイコンの表示を変更する
　ことを特徴とする請求項１から１２のいずれかに記載の情報処理装置。
　　【請求項１４】
　前記情報処理装置は、
　操作者の識別子を取得する操作者識別子取得手段を備え、
　前記プリント条件格納手段は、
　プリント条件ごとに、当該プリント条件の指定を許可された操作者の識別子を保持している
　ことを特徴とする請求項１から１３のいずれかに記載の情報処理装置。
　　【請求項１５】
　画像形成装置にプリント指示を送信する情報処理装置にインストールされるプログラムであって、
　表示画面上にカーソルが表示されるポインティングデバイスからの入力を受け付けるポインティングデバイス入力受付処理と、
　操作者の手指が入力のため押下した位置が異なる場合に、位置ごとに異なる信号を出力する入力デバイスからの入力を受け付ける入力受付処理と、
　前記表示画面に、前記画像形成装置を表す第１のアイコン、及びプリント対象文書を表す第２のアイコンを、それぞれ表示させるアイコン表示処理と、
　前記表示画面上において、前記ポインティングデバイスを用いて前記第２のアイコンがドラッグされ、前記第１のアイコン上でドロップされたこと、又は、前記第１のアイコンがドラッグされ、前記第２のアイコン上でドロップされたことを検出するドロップ検出処理と、
　前記ドロップ検出処理においてドロップされたことが検出されたタイミングで前記入力デバイスから出力されている信号を検知する入力信号検知処理と、
　前記入力信号検知処理において検知される信号とプリント条件との対応関係を保持するプリント条件保持手段から、前記入力信号検知処理において検知された信号に対応するプリント条件を抽出するプリント条件抽出処理と、
　前記ドロップ検出処理によりドロップされたことが検出された場合に、前記第１のアイコンにより表される画像形成装置に、前記第２のアイコンにより表されるプリント対象文書を、前記プリント条件抽出処理において抽出されたプリント条件によりプリントすることを指示するプリント指示を送信するように制御するプリント指示処理とを、
　前記情報処理装置に実行させ、
　前記アイコン表示処理において、
　前記第２のアイコンにより表されるプリント対象文書が、前記第１のアイコンにより表される画像形成装置で処理不可能である場合に、前記第１のアイコンの表示を変更する
　ことを特徴とするプログラム。
　　【請求項１６】
　前記プログラムは、さらに、
　前記第２のアイコンがドラッグされ、前記第１のアイコンと重なったことが検出されたこと、又は、前記第１のアイコンがドラッグされ、前記第２のアイコンと重なったことを検出するアイコン重なり合い検出ステップと、
　前記アイコン重なり合い検出ステップで検出される重なり合いが所定時間継続した場合に、前記第１のアイコンで表される画像形成装置について前記プリント条件保持手段に保持されている、前記入力信号検知手段が検知した信号とプリント条件とを表示するプリント条件表示処理を前記情報処理装置に実行させる
　ことを特徴とする請求項１５に記載のプログラム。
　　【請求項１７】
　前記プログラムは、さらに、
　前記第２のアイコンにより表されるプリント対象文書につき、前記第１のアイコンにより表される画像形成装置について前記プリント条件格納手段に格納されたそれぞれのプリント条件で処理可能か否かを判定するプリント条件可否判定処理を前記情報処理装置に実行させ、
　前記プリント条件表示処理では、
　処理可能なプリント条件と処理不可能なプリント条件とを識別可能に表示する
　ことを特徴とする請求項１６に記載のプログラム。
　　【請求項１８】
　画像形成装置にプリント指示を送信する情報処理装置にインストールされるプログラムであって、
　表示画面上にカーソルが表示されるポインティングデバイスからの入力を受け付けるポインティングデバイス入力受付処理と、
　操作者の手指が入力のため押下した位置が異なる場合に、位置ごとに異なる信号を出力する入力デバイスからの入力を受け付ける入力受付処理と、
　前記表示画面に、前記画像形成装置を表す第１のアイコン、及びプリント対象文書を表す第２のアイコンを、それぞれ表示させるアイコン表示処理と、
　前記表示画面上において、前記ポインティングデバイスのクリックにより前記第２のアイコンが選択されたことを検出する第２アイコン選択検出処理と、
　前記第２のアイコンが選択されている状態において、前記ポインティングデバイスのクリックにより、さらに前記第１のアイコンが選択されたことを検出する第１アイコン選択検出処理と、
　前記第１アイコン選択検出処理により、前記第１のアイコンが選択されたことが検出された場合に、前記入力デバイスから出力されている信号を検知する入力信号検知処理と、
　前記入力信号検知処理において検知される信号とプリント条件との対応関係を保持するプリント条件保持手段から、前記入力信号検知処理において検知された信号に対応するプリント条件を抽出するプリント条件抽出処理と、
　前記第１アイコン選択検出処理により、前記第１のアイコンが選択されたことが検出された場合に、前記第１のアイコンにより表される画像形成装置に、前記第２のアイコンにより表されるプリント対象文書を、前記プリント条件抽出処理において抽出されたプリント条件によりプリントすることを指示するプリント指示を送信するように制御するプリント指示処理とを、
　前記情報処理装置に実行させ、
　前記アイコン表示処理において、
　前記第２のアイコンにより表されるプリント対象文書が、前記第１のアイコンにより表される画像形成装置で処理不可能である場合に、前記第１のアイコンの表示を変更する
　ことを特徴とするプログラム。
　　【請求項１９】
　画像形成装置にプリント指示を送信する情報処理装置にインストールされるプログラムであって、
　表示画面上にカーソルが表示されるポインティングデバイスからの入力を受け付けるポインティングデバイス入力受付処理と、
　操作者の手指が入力のため押下した位置が異なる場合に、位置ごとに異なる信号を出力する入力デバイスからの入力を受け付ける入力受付処理と、
　前記表示画面に、前記画像形成装置を表す第１のアイコン、及びプリント対象文書を表す第２のアイコンを、それぞれ表示させるアイコン表示処理と、
　前記表示画面上において、前記ポインティングデバイスのクリックにより前記第１のアイコンが選択されたことを検出する第１アイコン選択検出処理と、
　前記第１のアイコンが選択されている状態において、前記ポインティングデバイスのクリックにより、さらに前記第２のアイコンが選択されたことを検出する第２アイコン選択検出処理と、
　前記第２アイコン選択検出処理により、前記第２のアイコンが選択されたことが検出された場合に、前記入力デバイスから出力されている信号を検知する入力信号検知処理と、
　前記入力信号検知処理において検知される信号とプリント条件との対応関係を保持するプリント条件保持手段から、前記入力信号検知処理において検知された信号に対応するプリント条件を抽出するプリント条件抽出処理と、
　前記第２アイコン選択検出処理により、前記第２のアイコンが選択されたことが検出された場合に、前記第１のアイコンにより表される画像形成装置に、前記第２のアイコンにより表されるプリント対象文書を、前記プリント条件抽出処理において抽出されたプリント条件によりプリントすることを指示するプリント指示を送信するように制御するプリント指示処理とを、
　前記情報処理装置に実行させ、
　前記アイコン表示処理において、
　前記第２のアイコンにより表されるプリント対象文書が、前記第１のアイコンにより表される画像形成装置で処理不可能である場合に、前記第２のアイコンの表示を変更する
　ことを特徴とするプログラム。」
　
２．補正後の特許請求の範囲
　平成２１年１１月６日付けの手続補正により補正された特許請求の範囲は、以下のとおりである。
「【請求項１】
　画像形成装置にプリント指示を送信する情報処理装置であって、
　表示画面を備える表示手段と、
　ポインティングデバイスからの出力信号を受け付けるポインティングデバイス出力信号受付手段と、
　操作者の手指が入力のため押下した位置が異なる場合に、位置ごとに異なる信号を出力する入力デバイスからの出力信号を受け付ける入力デバイス出力信号受付手段と、
　前記表示画面に、前記画像形成装置を表す第１のアイコン、及びプリント対象文書を表す第２のアイコンを、それぞれ表示させるアイコン表示手段と、
　前記表示画面上において、前記ポインティングデバイスを用いて前記第２のアイコンがドラッグされ、前記第１のアイコン上でドロップされたこと、又は、前記第１のアイコンがドラッグされ、前記第２のアイコン上でドロップされたことを検出するドロップ検出手段と、
　前記ドロップ検出手段によりドロップされたことが検出された場合に、前記入力デバイスから出力されている信号を検知する入力信号検知手段と、
　前記入力信号検知手段が検知した信号と、プリント条件との対応関係を保持するプリント条件保持手段と、
　前記ドロップ検出手段によりドロップされたことが検出された場合に、前記第１のアイコンにより表される画像形成装置に、前記第２のアイコンにより表されるプリント対象文書を、前記入力信号検知手段が検知した信号に対応するプリント条件によりプリントすることを指示するプリント指示を送信するように制御するプリント指示手段とを備え、
　前記アイコン表示手段は、
　前記第２のアイコンにより表されるプリント対象文書が、
操作者が
画像形成装置の利用を許可されていないことにより当該
　ことを特徴とする情報処理装置。
　　【請求項２】
　前記情報処理装置は、さらに、
　前記第２のアイコンがドラッグされ、前記第１のアイコンと重なったこと、又は前記第１のアイコンがドラッグされ、前記第２のアイコンと重なったことを検出するアイコン重なり検出手段と、
　前記アイコン重なり手段により重なりが検出された場合に、前記第１のアイコンで表される画像形成装置について前記プリント条件保持手段に保持されている、前記入力信号検知手段が検知した信号とプリント条件とを表示するプリント条件表示手段とを備える
　ことを特徴とする請求項１に記載の情報処理装置。
　　【請求項３】
　前記情報処理装置は、さらに、
　前記第２のアイコンにより表されるプリント対象文書につき、前記第１のアイコンにより表される画像形成装置について前記プリント条件格納手段に格納されたそれぞれのプリント条件で処理可能か否かを判定するプリント条件可否判定手段を備え、
　前記プリント条件表示手段は、
　処理可能なプリント条件と処理不可能なプリント条件とを識別可能に表示する　ことを特徴とする請求項２に記載の情報処理装置。
　　【請求項４】
　前記情報処理装置は、さらに、
　前記第２のアイコンにより表されるプリント対象文書を格納したファイルにプリント条件が格納されているか否かを判定するプリント条件格納判定手段と、
　プリント条件が格納されている場合にプリント条件を抽出するプリント条件抽出手段と、
　前記第１のアイコンにより表される画像形成装置について前記プリント条件格納手段に
格納されたそれぞれのプリント条件と、前記プリント条件抽出手段により抽出されたプリント条件とが矛盾しないかを判定するプリント条件矛盾判定手段とを備え、
　前記プリント条件表示手段は、
　矛盾するプリント条件と矛盾しないプリント条件とを識別可能に表示する
　ことを特徴とする請求項２に記載の情報処理装置。
　　【請求項５】
　前記情報処理装置は、
　前記第２のアイコンが前記ポインティングデバイスにより選択、若しくはドラッグされたこと、又は、前記第１のアイコンが前記ポインティングデバイスにより選択、若しくはドラッグされたことを検出する選択ドラッグ検出手段を備える
　ことを特徴とする請求項１に記載の情報処理装置。
　　【請求項６】
　画像形成装置にプリント指示を送信する情報処理装置であって、
　表示画面を備える表示手段と、
　ポインティングデバイスからの出力信号を受け付けるポインティングデバイス出力信号受付手段と、
　操作者の手指が入力のため押下した位置が異なる場合に、位置ごとに異なる信号を出力する入力デバイスからの出力信号を受け付ける入力デバイス出力信号受付手段と、
　前記表示画面に、前記画像形成装置を表す第１のアイコン、及びプリント対象文書を表す第２のアイコンを、それぞれ表示させるアイコン表示手段と、
　前記表示画面上において、前記ポインティングデバイスのクリックにより前記第２のアイコンが選択されたこと、及び、前記第２のアイコンが選択されている状態において、前記ポインティングデバイスのクリックにより、さらに前記第１のアイコンが選択されたことを検出するアイコン選択検出手段と、
　前記アイコン選択検出手段により、前記第１のアイコンが選択されたことが検出された場合に、前記入力デバイスから出力されている信号を検知する入力信号検知手段と、
　前記入力信号検知手段が検知した信号と、プリント条件との対応関係を保持するプリント条件保持手段と、
　前記アイコン選択検出手段により、前記第１のアイコンが選択されたことが検出された場合に、前記第１のアイコンにより表される画像形成装置に、前記第２のアイコンにより表されるプリント対象文書を、前記入力信号検知手段が検知した信号に対応するプリント条件によりプリントすることを指示するプリント指示を送信するように制御するプリント指示手段とを備え、
　前記アイコン表示手段は、
　前記第２のアイコンにより表されるプリント対象文書が、
操作者が
画像形成装置の利用を許可されていないことにより当該
　ことを特徴とする情報処理装置。
　　【請求項７】
　前記アイコン表示手段は、
　前記アイコン選択検出手段により第２のアイコンが選択されたことが検出された場合、
前記第２のアイコンにより表されるプリント対象文書が、前記第１のアイコンにより表される画像形成装置で処理不可能である場合に、前記第１のアイコンの表示を変更する
　ことを特徴とする請求項６に記載の情報処理装置。
　　【請求項８】
　前記入力デバイスは、複数のキーを備え、操作者が押下したキーが異なる場合に、キーごとに異なる信号を出力する
　ことを特徴とする請求項１から
７
　　【請求項９】
　画像形成装置及び文書フォーマットごとに処理性能を表す情報を取得する処理性能情報取得手段と、
　前記第２のアイコンで表されるプリント対象文書を前記第１の画像形成装置でプリントした場合の処理性能を表す情報を抽出する処理性能情報抽出手段と、
　抽出された処理性能を表す情報に基づいて、以後の処理を切り替える切り替え手段とを備える
　ことを特徴とする請求項１から
８
　　【請求項１０】
　前記処理性能を表す情報は、
　文書フォーマットごとに予め準備された文書を、各々の画像形成装置でプリントした場合の処理時間を表す情報である
　ことを特徴とする請求項
９
　　【請求項１１】
　前記情報処理装置は、
　操作者の識別子を取得する操作者識別子取得手段を備え、
　前記アイコン表示手段は、
　操作者が、前記第１のアイコンにより表される画像形成装置の利用を許可されていない場合に、前記第１のアイコンの表示を変更する
　ことを特徴とする請求項１から
１０
　　【請求項１２】
　前記情報処理装置は、
　操作者の識別子を取得する操作者識別子取得手段を備え、
　前記プリント条件格納手段は、
　プリント条件ごとに、当該プリント条件の指定を許可された操作者の識別子を保持している
　ことを特徴とする請求項１から
１１
　　【請求項１３】
　画像形成装置にプリント指示を送信する情報処理装置にインストールされるプログラムであって、
　表示画面上にカーソルが表示されるポインティングデバイスからの入力を受け付けるポインティングデバイス入力受付処理と、
　操作者の手指が入力のため押下した位置が異なる場合に、位置ごとに異なる信号を出力する入力デバイスからの入力を受け付ける入力受付処理と、
　前記表示画面に、前記画像形成装置を表す第１のアイコン、及びプリント対象文書を表す第２のアイコンを、それぞれ表示させるアイコン表示処理と、
　前記表示画面上において、前記ポインティングデバイスを用いて前記第２のアイコンがドラッグされ、前記第１のアイコン上でドロップされたこと、又は、前記第１のアイコンがドラッグされ、前記第２のアイコン上でドロップされたことを検出するドロップ検出処理と、
　前記ドロップ検出処理においてドロップされたことが検出されたタイミングで前記入力デバイスから出力されている信号を検知する入力信号検知処理と、
　前記入力信号検知処理において検知される信号とプリント条件との対応関係を保持するプリント条件保持手段から、前記入力信号検知処理において検知された信号に対応するプリント条件を抽出するプリント条件抽出処理と、
　前記ドロップ検出処理によりドロップされたことが検出された場合に、前記第１のアイコンにより表される画像形成装置に、前記第２のアイコンにより表されるプリント対象文書を、前記プリント条件抽出処理において抽出されたプリント条件によりプリントすることを指示するプリント指示を送信するように制御するプリント指示処理とを、
　前記情報処理装置に実行させ、
　前記アイコン表示処理において、
　前記第２のアイコンにより表されるプリント対象文書が、
操作者が
画像形成装置の利用を許可されていないことにより当該
　ことを特徴とするプログラム。
　　【請求項１４】
　前記プログラムは、さらに、
　前記第２のアイコンがドラッグされ、前記第１のアイコンと重なったことが検出されたこと、又は、前記第１のアイコンがドラッグされ、前記第２のアイコンと重なったことを検出するアイコン重なり合い検出ステップと、
　前記アイコン重なり合い検出ステップで検出される重なり合いが所定時間継続した場合に、前記第１のアイコンで表される画像形成装置について前記プリント条件保持手段に保持されている、前記入力信号検知手段が検知した信号とプリント条件とを表示するプリント条件表示処理を前記情報処理装置に実行させる
　ことを特徴とする請求項
１３
　　【請求項１５】
　前記プログラムは、さらに、
　前記第２のアイコンにより表されるプリント対象文書につき、前記第１のアイコンにより表される画像形成装置について前記プリント条件格納手段に格納されたそれぞれのプリント条件で処理可能か否かを判定するプリント条件可否判定処理を前記情報処理装置に実行させ、
　前記プリント条件表示処理では、
　処理可能なプリント条件と処理不可能なプリント条件とを識別可能に表示する
　ことを特徴とする請求項
１４
　　【請求項１６】
　画像形成装置にプリント指示を送信する情報処理装置にインストールされるプログラム
であって、
　表示画面上にカーソルが表示されるポインティングデバイスからの入力を受け付けるポインティングデバイス入力受付処理と、
　操作者の手指が入力のため押下した位置が異なる場合に、位置ごとに異なる信号を出力する入力デバイスからの入力を受け付ける入力受付処理と、
　前記表示画面に、前記画像形成装置を表す第１のアイコン、及びプリント対象文書を表す第２のアイコンを、それぞれ表示させるアイコン表示処理と、
　前記表示画面上において、前記ポインティングデバイスのクリックにより前記第２のアイコンが選択されたことを検出する第２アイコン選択検出処理と、
　前記第２のアイコンが選択されている状態において、前記ポインティングデバイスのクリックにより、さらに前記第１のアイコンが選択されたことを検出する第１アイコン選択検出処理と、
　前記第１アイコン選択検出処理により、前記第１のアイコンが選択されたことが検出された場合に、前記入力デバイスから出力されている信号を検知する入力信号検知処理と、
　前記入力信号検知処理において検知される信号とプリント条件との対応関係を保持するプリント条件保持手段から、前記入力信号検知処理において検知された信号に対応するプリント条件を抽出するプリント条件抽出処理と、
　前記第１アイコン選択検出処理により、前記第１のアイコンが選択されたことが検出された場合に、前記第１のアイコンにより表される画像形成装置に、前記第２のアイコンにより表されるプリント対象文書を、前記プリント条件抽出処理において抽出されたプリント条件によりプリントすることを指示するプリント指示を送信するように制御するプリン
ト指示処理とを、
　前記情報処理装置に実行させ、
　前記アイコン表示処理において、
　前記第２のアイコンにより表されるプリント対象文書が、
操作者が
画像形成装置の利用を許可されていないことにより当該
　ことを特徴とするプログラム。」
　
３．本件補正についての検討
（１）本件補正の内容
　本件補正は、補正前の請求項１において、「アイコン表示手段」が「前記第２のアイコンにより表されるプリント対象文書が、前記第１のアイコンにより表される画像形成装置で処理不可能である場合に、前記第１のアイコンの表示を変更する」ものであるところを、補正後の請求項１において、「前記第２のアイコンにより表されるプリント対象文書が、
操作者が
画像形成装置の利用を許可されていないことにより当該
　以下、「補正前の請求項」を「旧請求項」という。
　
（２）本件補正の適否
（２−１）本件補正が、請求項の削除、誤記の訂正、明りょうでない記載の釈明のいずれかに該当するか否かについて
　審判請求人は、審判請求書の中で、本件補正について、次のとおり主張している。
「（ａ）　旧請求項１、６、１５、及び１８について、発明を特定するための事項を限定し、それぞれ新請求項１、６、１３、及び１６としました。
　（ｂ）　旧請求項８、９、及び１９を削除しました。
　（ｃ）　旧請求項１０〜１４、１６、及び１７を形式的に変更し、それぞれ新請求項８〜１２、１４、及び１５としました。
・・・（中略）・・・
　なお、上記（ａ）の補正は、旧請求項１３、本願明細書の第００９５段落、第００９６段落（特に、使用許可ユーザでない場合に、プリンタアイコンｉについて、グレーアウト表示される旨、及びプリント処理が実行されない（処理可能でない）旨）、第０１５１段落、及び第０１５２段落並びに図１７（特に、ステップＳ８０４でＮＯであるときのステップＳ８０５の処理）の記載に基づいてされたもので、新規事項を追加するものではありません。
　また、上記（ａ）の補正は、特許請求の範囲の所謂限定的減縮に該当するものであり、上記（ｂ）の補正は請求項の削除に該当するものですので、これらの補正は平成１８年改正前の特許法第１７条の２第４項の要件を満たすものです。」
　
　そこで検討すると、旧請求項８及び９の削除に伴い、旧請求項１３は、内容は変わらないまま、補正後の請求項１１に番号が繰り上がって残っていること、及び、旧請求項１３における「操作者の識別子を取得する操作者識別子取得手段」が補正後の請求項１に存在しないこと、の両者からみて、旧請求項１が削除されて、旧請求項１を引用する旧請求項１３が補正後の請求項１となったものではないから、本件補正は、請求項の削除に該当するとはいえない。
　また、旧請求項１に対する補正は、誤記の訂正でもなく、明りょうでない記載の釈明ともすることはできない。
　
（２−２）本件補正が限定的減縮に該当するか否かについて
　次に、本件補正が、請求項に記載した発明を特定する事項を限定する減縮（限定的減縮）であるか否かについて、以下に検討する。
　
　旧請求項１に記載された発明は、「プリント対象文書」が「第１のアイコンにより表示される画像形成装置で処理不可能である場合」に「第１のアイコンの表示を変更する」ものであって、他の条件に関係なく「プリント対象文書」そのものが「第１のアイコンにより表示される画像形成装置」で処理不可能か可能かによって、「第１のアイコンの表示」が変更されるかされないかが決まるものである。すなわち、そこに、画像処理装置に対する操作者の利用権限の有無はなんら関係しないものである。
　これに対して、旧請求項１についての補正は、補正前においては、「アイコン表示手段」による「第１のアイコンの表示を変更する」変更態様が、操作者の利用権限の有無に基づかず、プリント対象文書（の属性）に応じて決まるものであるのを、補正後においては、「アイコン表示手段」による「第１のアイコンの表示を変更する」変更態様が、操作者の利用権限の有無に応じて決まるものであって、「アイコン表示手段」による「第１のアイコンの表示を変更する」変更態様を、全く新たな表示態様に変更するものであるから、旧請求項１に記載された発明特定事項を限定的に減縮するものとはいえない。
　
（２−３）補足
　仮に、補正後の請求項１に記載された「前記第２のアイコンにより表されるプリント対象文書が、操作者が前記第１のアイコンにより表される画像形成装置の利用を許可されていないことにより当該画像形成装置で処理不可能である場合に、前記第１のアイコンの表示を変更する」を、
「前記第２のアイコンにより表されるプリント対象文書が当該画像形成装置で処理不可能」である場合であって、
かつ、「操作者が前記第１のアイコンにより表される画像形成装置の利用を許可されていないことにより当該画像形成装置で処理不可能である場合に」、
「前記第１のアイコンの表示を変更する」と解釈するならば、以下のとおり、そのような発明は、発明の詳細な説明に記載されたものではないから、特許法第３６条第６項第１号の規定に違反するものとなる。
　
　すなわち、発明の詳細な説明には、本願発明の実施例として、
「実施の形態１」（段落【００３１】〜【０１２０】）、
「実施の形態２」（段落【０１２１】〜【０１４６】）、
「変形例」（段落【０１４７】〜【０１５４】）、
が記載されており、
　補正後の請求項１における「画像形成装置を表す第１のアイコン」に対応する「プリンタアイコンｉ」の表示を変更するものである「実施の形態１」を示すものである図１７には、請求項１における「操作者が前記第１のアイコンにより表される画像形成装置の利用を許可されていないこと」に対応するステップＳ８０４においてプリンタアイコンｉの使用許可ユーザではないと判断されてステップＳ８０５においてプリンタアイコンｉがグレー表示されるフローが記載されているが、これは、「前記第２のアイコンにより表されるプリント対象文書が当該画像形成装置で処理不可能」であるか否かを問わないものであるから、補正後の請求項１に記載された発明を上記のように解釈すれば、「実施の形態１」に対応したものととはいえない。
　
　「実施の形態２」は、文書ｉアイコンの表示を変更するものであって、プリンタアイコンｉの表示を変更するものではないから、補正後の請求項１に記載された発明は、「実施の形態２」に対応したものとはいえない。
　
　「変形例」として記載されているものは、ドラッグアンドドロップの代わりに、文書やプリンタのアイコンをクリック操作して処理を行う例が記載されているだけであり、「実施の形態１」や「実施の形態２」以外のアイコンの表示の変更形態が示されているものではない。
　
　それゆえ、補正後の請求項１に記載された発明を上記のように解釈するならば、発明の詳細な説明に記載されたものとすることはできない。
　
　なお、補正後の請求項１に記載された「前記第２のアイコンにより表されるプリント対象文書が、操作者が前記第１のアイコンにより表される画像形成装置の利用を許可されていないことにより当該画像形成装置で処理不可能である場合に、前記第１のアイコンの表示を変更する」を、
「前記第２のアイコンにより表されるプリント対象文書が当該画像形成装置で処理不可能」である場合、
または、「操作者が前記第１のアイコンにより表される画像形成装置の利用を許可されていないことにより当該画像形成装置で処理不可能である場合に」、
「前記第１のアイコンの表示を変更する」と解釈することは、文理上できない。
　
４．まとめ
　以上のとおり、本件補正は、請求項の削除、誤記の訂正、明りょうでない記載の釈明のいずれにも該当しないものであり、また、本件補正は、補正前の請求項に記載されたいずれの発明特定事項をも限定的に減縮するものとすることはできない。
　したがって、この補正は、平成１８年法律第５５号改正附則第３条第１項によりなお従前の例によるとされる同法による改正前の特許法第１７条の２第４項各号に規定するいずれの要件をも満たしていないから、平成１８年改正前の特許法１７条の２第４項の規定に違反するものであり、同法１５９条第１項において読み替えて準用する同法第５３条第１項の規定により却下すべきものである。
　
第３　本願発明について
１．本願発明
　平成２１年１１月６日付けの手続補正は上記のとおり却下されたので、本願の請求項に係る発明は、平成２１年３月２５日付けで手続補正された特許請求の範囲の請求項１〜１９に記載された事項により特定されるものと認められるところ、その請求項１に係る発明（以下、「本願発明」という。）は以下のとおりのものである。
「【請求項１】
　画像形成装置にプリント指示を送信する情報処理装置であって、
　表示画面を備える表示手段と、
　ポインティングデバイスからの出力信号を受け付けるポインティングデバイス出力信号受付手段と、
　操作者の手指が入力のため押下した位置が異なる場合に、位置ごとに異なる信号を出力する入力デバイスからの出力信号を受け付ける入力デバイス出力信号受付手段と、
　前記表示画面に、前記画像形成装置を表す第１のアイコン、及びプリント対象文書を表す第２のアイコンを、それぞれ表示させるアイコン表示手段と、
　前記表示画面上において、前記ポインティングデバイスを用いて前記第２のアイコンがドラッグされ、前記第１のアイコン上でドロップされたこと、又は、前記第１のアイコンがドラッグされ、前記第２のアイコン上でドロップされたことを検出するドロップ検出手段と、
　前記ドロップ検出手段によりドロップされたことが検出された場合に、前記入力デバイスから出力されている信号を検知する入力信号検知手段と、
　前記入力信号検知手段が検知した信号と、プリント条件との対応関係を保持するプリント条件保持手段と、
　前記ドロップ検出手段によりドロップされたことが検出された場合に、前記第１のアイコンにより表される画像形成装置に、前記第２のアイコンにより表されるプリント対象文書を、前記入力信号検知手段が検知した信号に対応するプリント条件によりプリントすることを指示するプリント指示を送信するように制御するプリント指示手段とを備え、
　前記アイコン表示手段は、
　前記第２のアイコンにより表されるプリント対象文書が、前記第１のアイコンにより表される画像形成装置で処理不可能である場合に、前記第１のアイコンの表示を変更する
　ことを特徴とする情報処理装置。」
　
２．引用刊行物
（１）原査定の拒絶理由に引用された特開２００３−２４１９３１号公報（以下、「引用刊行物１」という。）には、次の事項が記載されている。なお、下線は当審が付したものである。
　
（１−１）「【００２０】図５は、ＭＦＰ１００ａ，１００ｃの表示部１０７、クライアントコンピュータ３００の表示部３０３、またはサーバ２００の表示部２０３に表示される文書管理システムの基本画面を示す図である。
【００２１】図を参照して、
文書管理システムの基本画面には、ファイル表示部１が設けられており、ファイル表示部１には記録されている文書ファイルなどのファイルのサムネイル３ａ〜３ｄが表示される。
【００２２】また、
文書管理システムの基本画面にはプリンタアイコン２が表示される。また、プリンタアイコンは、登録されたプリンタごとに表示されるため、プリンタアイコン２が示すプリンタとは異なるプリンタが登録されている場合には、他のプリンタアイコン２ａが表示される。
【００２３】図６は、図５のプリンタアイコン２を選択し、特定の指示（たとえばマウスの右ボタンクリックなど）が行なわれたときに表示される印刷設定登録画面の具体例を示す図である。
【００２４】図を参照して、印刷設定登録画面６においては、印刷設定名称（ここでは「設定１」）、用紙サイズ（ここでは「Ａ４」）、使用するトレイ（ここでは「トレイ１」）、印刷品質（ここでは「６００×６００ｄｐｉ」）、カラー／モノクロの区分（ここでは「カラー」）が表示される。ユーザは、印刷設定登録画面６の内容を操作することで、プリンタアイコンに印刷設定を登録することができる。また、図６に表示されている設定以外にも、２ｕｐ、４ｕｐなどの設定、ステープル、両面印刷などの設定を当該画面で行なうようにしてもよい。
【００２５】また、ここでは印刷設定名称として「設定１」などの名称を付しているが、この名称をユーザが自由に変更することができるようにしてもよい。たとえば、ユーザが設定内容を思い出しやすい名称とすることも可能である。
【００２６】なお、ここでは印刷設定登録画面６によって、設定１と設定２の２つの印刷設定がプリンタアイコン２に対して登録されているものとする。
【００２７】図７は、図５の文書管理システムの基本画面においてユーザがサムネイル３ａで示されるファイルの印刷を、「設定１」で行ないたいときの処理の具体例を示す図である。
【００２８】このとき、
ユーザはファイル表示部１に表示されたサムネイル３ａを、プリンタアイコン２上に重ねるようにドラッグする。すると、予めプリンタアイコン２に登録されている印刷設定の一覧（ここでは上述のとおり「設定１」および「設定２」）が表示される。ユーザは、この印刷設定の一覧４から所望の印刷設定を選択し、ドラッグ中のファイルのサムネイル３ａを所望の印刷設定（ここでは「設定１」が表示されている部分）上にドラッグし、そこでファイルのサムネイル３ａをドロップする。以上の操作で、設定１で登録されている印刷設定の内容で、また、プリンタアイコン２が示すプリンタ（またはＭＦＰ）でサムネイル３ａによって示されるファイルの印刷が行なわれる。
　
（１−２）以上を総合すると、引用刊行物１には、次の発明（以下、「引用発明１」という。）が記載されている。
「文書管理システムの基本画面に設けられたファイル表示部１には、文書ファイルなどのファイルのサムネイル３ａ〜３ｄと、プリンタアイコン２、２ａとが表示され、
　文書ファイルなどのファイルのサムネイル３ａを、ポインティングデバイスを用いて選択してプリンタアイコン２上に重ねるようにドラッグすると、予めプリンタアイコン２に登録されている印刷設定の一覧が表示され、この一覧から所望の印刷設定上にドラッグし、そこでファイルのサムネイル３ａをドロップすると、登録されている印刷設定の内容で、プリンタアイコン２が示すプリンタでサムネイル３ａによって示される文書ファイルなどのファイルの印刷が行われる文書管理システム。」
　
（２）原査定の拒絶理由に引用された特開２０００−２２７８２８号公報（以下、「引用刊行物２」という。）には、次の事項が記載されている。なお、下線は当審が付したものである。
　
（２−１）「【００２７】本実施形態では、所定のファイルを印刷処理する場合には、ファイルのアイコンをドラッグしてプリンタのアイコンに重ねてドロップ（以下、ドラッグアンドドロップと略す）することで、デフォルトの印刷を簡単に行うことができるが、アイコンの表示とドラッグとドロップの間の操作により、設定（用紙サイズ、両面／片面、出力場所など）を変更した印刷もデフォルトの場合と類似した操作で行うことができる。
【００２８】本実施形態に係るアイコンによる情報処理システム１の構成は特に限定されるものではないが、例えば、図１に示しているように、入出力部２、制御部３、対象アイコン５と起動アイコン６を含むデータ部４、表示部７などを備えている構成を挙げることができる。
【００２９】入出力部２としては、本実施形態では、キーボード８、マウス９（入力手段）、図示しないプリンタ（出力手段）などを備えている。またデータ部４は、表示に用いる対象アイコン５や起動アイコン６のデータを有すると共に、プリンタで出力しようとする文書のデータも格納している。
【００３０】上述したシステム１における表示部７の画面１０では、図２に示すように、
マウス９に連動するポインタ１１が表示された操作画面
【００３１】
対象アイコン５は、ポインタ１１によって移動可能となっており、具体的には、対象アイコン５にポインタ１１を重ね合せ、マウス９のボタンを押しながらポインタ１１を任意の位置に移動させる（ドラッグ操作）ことができる。起動アイコン６は、表示画面上の任意の位置に表示されており、対象アイコン５をドラッグして起動アイコン６に重ね合わせる。そして例えばマウス９のボタンを離すと対象アイコン５の表示位置は任意に固定される。
【００３２】
ドロップ操作により、対象アイコン５が起動アイコン６と重なる位置で固定されると、制御部３は、対象アイコンが示す又は対応付けられている文書データの情報をデータ部より取出し、起動アイコン６が示すプリンタへ前記文書データを出力する。
【００３３】従来では、上述した一連のドラッグアンドドロップ操作によって、起動される動作（例えば上述したプリンタによる印刷動作）は、予め設定された所定条件に基づき動作する内容に限られており、前記所定条件による印刷動作が行なわれていた。
【００３４】これに対して
本実施形態では、図３（ａ）、（ｂ）に示すように、起動アイコン６に対象アイコン５を重ねてドロップする前に、対象アイコン５を所定の操作、例えば起動アイコン６上で移動させたり、一定時間停止させたりすることで、条件を変更可能としている。
【００３５】
上記所定操作とは、特に限定されるものではないが、例えば起動アイコン６上で移動させる場合には、図３（ａ）に示すように、起動アイコン６上で対象アイコン５を左右に繰り返し往復運動させる操作や、図３（ｂ）に示すように、上下に繰り返し往復移動させる操作、マウスボタンの押下方法を変えた操作、複数のマウスボタンがある場合はドラッグ時に押下しているボタン以外の入力手段（マウスボタン、キーボード等）を（同時に）押下する等のドラッグアンドドロップに係る動作以外の動作を同時又は別個に行うことが挙げられる。また往復移動の回数によって起動条件を変更するように構成すれば、より詳細な起動条件の設定が可能となる。
　
（２−２）以上を整理すると、引用刊行物２には、次の事項が記載されている。
「対象アイコン５は、マウス９に連動するポインタ１１によって移動可能となっており、対象アイコン５をドラッグして起動アイコン６に重ね合わせ、ドロップ操作により、対象アイコン５が起動アイコン６と重なる位置で固定されると、制御部３は、対象アイコンが示す又は対応付けられている文書データの情報をデータ部より取出し、起動アイコン６が示すプリンタへ前記文書データを出力するものであって、
　起動アイコン６に対象アイコン５を重ねてドロップする前に、対象アイコン５を所定の操作、例えば起動アイコン６上で移動させたり、一定時間停止させたりすることで、印刷設定が変更可能であり、
　起動アイコン６に対象アイコン５を重ねてドロップする前に、対象アイコン５を所定の操作、例えば起動アイコン６上で対象アイコン５を左右に繰り返し往復運動させる操作や、上下に繰り返し往復移動させる操作、マウスボタンの押下方法を変えた操作、複数のマウスボタンがある場合はドラッグ時に押下しているボタン以外の入力手段（マウスボタン、キーボード等）を（同時に）押下する等のドラッグアンドドロップに係る動作以外の動作を同時又は別個に行うものであり、
　往復移動の回数によって起動条件を変更するように構成すれば、より詳細な起動条件の設定が可能となる情報処理装置。」
　
　上記の事項から、次の発明（以下、「引用発明２」という。）が記載されているものと認められる。
「プリント対象文書を表すアイコンをプリンタアイコンにドラッグアンドドロップすることにより、プリント対象文書をプリンタにプリントさせるものにおいて、ドラッグ時にキーボード等の入力手段を押下することにより、印刷設定を変更する情報処理装置。」
　
３．　対比・判断
（１）本願発明と引用発明１との対比
　引用発明１の「プリンタ」は、本願発明の「画像形成装置」に相当し、引用発明１の「文書管理システム」は、文書管理システムの基本画面に設けられたファイル表示部上で文書ファイルなどのファイルのサムネイルを操作することによって、文書ファイルなどのファイルの印刷をプリンタにて行うものであるから、「プリンタ」に対して印刷の指示が送信されるものであって、本願発明と引用発明１とは、「画像形成装置にプリント指示を送信する情報処理装置であって、表示画面を備える表示手段」を備える点で一致する。
　
　引用発明１は、ポインティングデバイスを用いてサムネイルをドラッグアンドドロップするものであるから、具体的な手段は記載されていないものの、引用発明１は、本願発明における「ポインティングデバイスからの出力信号を受け付けるポインティングデバイス出力信号受付手段」に相当する手段を備えているということができる。
　
　引用発明１の「プリンタアイコン」は、本願発明の「画像形成装置を表す第１のアイコン」に相当し、引用発明１の「文書ファイルなどのファイルのサムネイル」は、本願発明の「プリント対象文書を表す第２のアイコン」に相当する。
　そして、引用発明１は、基本画面に設けられたファイル表示部に、「プリンタアイコン」と「文書ファイルなどのファイルのサムネイル」とを表示するものであるから、具体的な手段は記載されていないものの、引用発明１は、本願発明における「表示画面に、画像形成装置を表す第１のアイコン、及びプリント対象文書を表す第２のアイコンを、それぞれ表示させるアイコン表示手段」に相当する手段を備えているということができる。
　
　本願発明における「表示画面上において、ポインティングデバイスを用いて第２のアイコンがドラッグされ、第１のアイコン上でドロップされたこと、又は、第１のアイコンがドラッグされ、第２のアイコン上でドロップされたことを検出するドロップ検出手段」は、「第２のアイコンがドラッグされ、第１のアイコン上でドロップされたこと」か「第１のアイコンがドラッグされ、第２のアイコン上でドロップされたこと」かのいずれかを検出するドロップ検出手段を備えるものである択一的な発明特定事項を有するものである。
　引用発明１は、ポインティングデバイスを用いてサムネイルをプリンタアイコンにドラッグアンドドロップすることにより、文書ファイルなどのファイルを印刷させるものであるから、具体的な手段は記載されていないが、引用発明１は、本願発明における上記択一的な発明特定事項の一方である「表示画面上において、ポインティングデバイスを用いて第２のアイコンがドラッグされ、第１のアイコン上でドロップされたことを検出するドロップ検出手段」に相当する手段を備えているということができる。
　
　引用発明１は、「文書ファイルなどのファイルのサムネイル３ａを、ポインティングデバイスを用いて選択してプリンタアイコン２上に重ねるようにドラッグすると、予めプリンタアイコン２に登録されている印刷設定の一覧が表示され、この一覧から所望の印刷設定上にドラッグし、そこでファイルのサムネイル３ａをドロップすると、登録されている印刷設定の内容で、プリンタアイコン２が示すプリンタでサムネイル３ａによって示される文書ファイルなどのファイルの印刷が行われる」ものであるから、
　本願発明と引用発明１とは、プリント条件である印刷設定がポインティングデバイスの操作によって決まる点、すなわち、操作に対応するプリント条件との対応関係を保持するプリント条件保持手段に相当する手段を備える点で共通し、
　本願発明と引用発明１とは、「前記ドロップ検出手段によりドロップされたことが検出された場合に、前記第１のアイコンにより表される画像形成装置に、前記第２のアイコンにより表されるプリント対象文書を、操作に対応するプリント条件によりプリントすることを指示するプリント指示を送信するように制御するプリント指示手段」を備える点で一致する。
　
　したがって、本願発明と引用発明とは、以下の点で一致し、相違する。
［一致点］
「画像形成装置にプリント指示を送信する情報処理装置であって、
　表示画面を備える表示手段と、
　ポインティングデバイスからの出力信号を受け付けるポインティングデバイス出力信号受付手段と、
　前記表示画面に、前記画像形成装置を表す第１のアイコン、及びプリント対象文書を表す第２のアイコンを、それぞれ表示させるアイコン表示手段と、
　前記表示画面上において、前記ポインティングデバイスを用いて前記第２のアイコンがドラッグされ、前記第１のアイコン上でドロップされたこと、又は、前記第１のアイコンがドラッグされ、前記第２のアイコン上でドロップされたことを検出するドロップ検出手段と、
　操作に対応するプリント条件との対応関係を保持するプリント条件保持手段と、
　前記ドロップ検出手段によりドロップされたことが検出された場合に、前記第１のアイコンにより表される画像形成装置に、前記第２のアイコンにより表されるプリント対象文書を、前記入力信号検知手段が検知した信号に対応するプリント条件によりプリントすることを指示するプリント指示を送信するように制御するプリント指示手段とを備えた情報処理装置。」
　
［相違点１］
　本願発明は、操作者の手指が入力のため押下した位置が異なる場合に、位置ごとに異なる信号を出力する入力デバイスからの出力信号を受け付ける入力デバイス出力信号受付手段と、前記ドロップ検出手段によりドロップされたことが検出された場合に、前記入力デバイスから出力されている信号を検知する入力信号検知手段と、前記入力信号検知手段が検知した信号と、プリント条件との対応関係を保持するプリント条件保持手段とを備えるものであって、すなわち、入力デバイスからの出力信号によってプリント条件の設定がなされるのに対して、
　引用発明１は、文書ファイルなどのファイルのサムネイル３ａを、ポインティングデバイスを用いて選択してプリンタアイコン２上に重ねるようにドラッグすると、予めプリンタアイコン２に登録されている印刷設定の一覧が表示され、この一覧から所望の印刷設定上にドラッグし、そこでファイルのサムネイル３ａをドロップすると、登録されている印刷設定の内容で、プリンタアイコン２が示すプリンタでサムネイル３ａによって示される文書ファイルなどのファイルの印刷が行われるものであって、すなわち、プリント対象文書を表すアイコンをプリンタアイコンに登録されている所望の印刷設定上にドラッグすることでプリント条件の設定がなされる点。
　
［相違点２］
　本願発明は、「前記アイコン表示手段は、前記第２のアイコンにより表されるプリント対象文書が、前記第１のアイコンにより表される画像形成装置で処理不可能である場合に、前記第１のアイコンの表示を変更する」ものであるのに対して、
　引用発明１は、アイコン表示手段がそのような第１のアイコンの表示の変更をするものではない点。
　
（２）相違点に対する判断
［相違点１］
　引用発明２は、プリント対象文書である「対象アイコン５」を、プリンタを示す「起動アイコン６」に重ねてドロップする前に印刷設定を変更するものであって、そのための手段として、「対象アイコン５」を一定時間停止させたり、左右や上下に往復移動させる操作を行ったり、キーボード等の入力手段を押下したりすることといった種々のものを例示している。
　いうまでもなく、「キーボード」は、「操作者の手指が入力のため押下した位置が異なる場合に、位置ごとに異なる信号を出力する入力デバイス」であることに相違ないから、引用発明２は、プリント対象文書である「対象アイコン５」を、プリンタを示す「起動アイコン６」に重ねてドロップする前に印刷設定を変更する手段として、操作者の手指が入力のため押下した位置が異なる場合に、位置ごとに異なる信号を出力する入力デバイスを用いるものである。
　
　それゆえ、引用発明１において、文書ファイルなどのファイルのサムネイルをプリンタアイコン上にドラッグした際に、印刷設定の一覧が表示されて、その一覧から所望の印刷設定を選択できるようにすることに代えて、引用発明２のように、キーボード等の入力手段を押下することで所望の印刷設定を選択できるようにすること、すなわち、「操作者の手指が入力のため押下した位置が異なる場合に、位置ごとに異なる信号を出力する入力デバイスからの出力信号を受け付ける入力デバイス出力信号受付手段と、前記ドロップ検出手段によりドロップされたことが検出された場合に、前記入力デバイスから出力されている信号を検知する入力信号検知手段と、前記入力信号検知手段が検知した信号と、プリント条件との対応関係を保持するプリント条件保持手段」とを備えるようにすることに格別の困難性はない。
　
［相違点２］
　プリント対象文書が、画像形成装置で処理不可能である場合に、該画像形成装置に対応するアイコンの表示を変更するようにすることは、以下に示すように周知である。
　周知例１：特開２００３−１５７１３２号公報（拒絶査定において提示）
（段落【００６１】〜【００６２】には、印刷が不可能であるプリンタのアイコンをグレーアウトさせることが記載されている。）
　
　周知例２：特開２００５−３１７３２号公報
（段落【００２４】には、ＴＩＦＦファイルに対応していない印刷装置２Ｂのアイコンに対して、点線からなる×印を重ねて表示させることが記載されている。）
　
　周知例３：特開２００５−１６５７７３号公報
（段落【００３７】には、印刷ジョブの移動先（審決注：すなわち、印刷先）として不適当なプリンタのアイコンをグレイアウト表示する点が記載されている。）
　
　それゆえ、引用発明１において、上記周知技術を適用し、プリント対象文書を表す第２のアイコンを、画像形成装置を表す第１のアイコンにドラッグアンドドロップさせるときに、前記第２のアイコンにより表されるプリント対象文書が、操作者が前記第１のアイコンにより表される画像形成装置の利用を許可されていないことにより当該画像形成装置で処理不可能である場合に、前記第１のアイコンを変更するようにすることは、当業者が適宜なし得たことである。
　
４．まとめ
　したがって、本願発明は、引用発明１、２及び周知技術に基いて当業者が容易に発明をすることができたものであるので、特許法第２９条第２項の規定により特許を受けることができない。
　
第４　平成２１年１１月６日付けの手続補正を却下すべき第２の理由
　仮に、平成２１年１１月６日付けの手続補正が、平成１８年法律第５５号改正附則第３条第１項によりなお従前の例によるとされる同法による改正前の特許法第１７条の２第４項各号に規定するいずれかの要件を満たしているとしても、以下に示すとおり、平成２１年１１月６日付けで手続補正された特許請求の範囲の請求項１に記載された発明は、特許法第２９条第２項の規定により特許出願の際独立して特許を受けることができないものであるので、特許法第１７条の２第６項で準用する同法第１２６条第５項の規定に違反するものであり、特許法第１５９条第１項において読み替えて準用する特許法第５３条第１項の規定により却下されるべきものである。
　
１．本願補正発明
　平成２１年１１月６日付けで手続補正された特許請求の範囲の請求項１〜１０のうち、請求項１に係る発明（以下、「本願補正発明」という。）は以下のとおりのものである。
「【請求項１】
　画像形成装置にプリント指示を送信する情報処理装置であって、
　表示画面を備える表示手段と、
　ポインティングデバイスからの出力信号を受け付けるポインティングデバイス出力信号受付手段と、
　操作者の手指が入力のため押下した位置が異なる場合に、位置ごとに異なる信号を出力する入力デバイスからの出力信号を受け付ける入力デバイス出力信号受付手段と、
　前記表示画面に、前記画像形成装置を表す第１のアイコン、及びプリント対象文書を表す第２のアイコンを、それぞれ表示させるアイコン表示手段と、
　前記表示画面上において、前記ポインティングデバイスを用いて前記第２のアイコンがドラッグされ、前記第１のアイコン上でドロップされたこと、又は、前記第１のアイコンがドラッグされ、前記第２のアイコン上でドロップされたことを検出するドロップ検出手段と、
　前記ドロップ検出手段によりドロップされたことが検出された場合に、前記入力デバイスから出力されている信号を検知する入力信号検知手段と、
　前記入力信号検知手段が検知した信号と、プリント条件との対応関係を保持するプリント条件保持手段と、
　前記ドロップ検出手段によりドロップされたことが検出された場合に、前記第１のアイコンにより表される画像形成装置に、前記第２のアイコンにより表されるプリント対象文書を、前記入力信号検知手段が検知した信号に対応するプリント条件によりプリントすることを指示するプリント指示を送信するように制御するプリント指示手段とを備え、
　前記アイコン表示手段は、
　前記第２のアイコンにより表されるプリント対象文書が、
操作者が
　ことを特徴とする情報処理装置。」
　
２．引用刊行物
　原審拒絶理由に引用された刊行物、および、その記載事項は、前記第３　３．に記載したとおりである。
　
３．対比・判断
（１）本願補正発明と引用発明１との対比
　特許請求の範囲の請求項１について、平成２１年１１月６日付けの手続補正は、
「前記アイコン表示手段は、
　前記第２のアイコンにより表されるプリント対象文書が、前記第１のアイコンにより表される画像形成装置で処理不可能である場合に、前記第１のアイコンの表示を変更する」
とあるところを、
「前記アイコン表示手段は、
　前記第２のアイコンにより表されるプリント対象文書が、操作者が前記第１のアイコンにより表される画像形成装置の利用を許可されていないことにより当該画像形成装置で処理不可能である場合に、前記第１のアイコンの表示を変更する」
と補正するものである。
　
　そうすると、上記第３　３．で対比したところに従えば、本願補正発明と引用刊行物１とは、［一致点］と［相違点１］とを同じくし、［相違点２］の代わりに次に示す［相違点３］が相違するものである。
　
［相違点３］
　本願補正発明は、「前記アイコン表示手段は、前記第２のアイコンにより表されるプリント対象文書が、操作者が前記第１のアイコンにより表される画像形成装置の利用を許可されていないことにより当該画像形成装置で処理不可能である場合に、前記第１のアイコンの表示を変更する」ものであるのに対して、
　引用発明１は、アイコン表示手段がそのような第１のアイコンの表示の変更をするものではない点。
　
（２）相違点に対する判断
　相違点１に対する判断は、上記　第３　３．（２）に示したとおりである。
　相違点３については、以下のとおりである。
　アイコンに対する操作などを行うグラフィカルユーザインタフェースにおいて、操作者が許可されていないアイコンの表示を変更することは、周知技術である。
　例えば、特開平８−３０４２７号公報には、使用できないユーザに対してグラフィカルユーザインタフェースのオブジェクトの表示を抑制するものであって（段落【００２７】参照。）、ユーザが使用できないボタン（ボタンはアイコンの一種である。）に対して、網かけされた状態で表示するもの（段落【００４５】及び図５参照。）が記載されている。
　
　そうすると、引用発明１において、上記周知技術を適用して、第２のアイコンにより表されるプリント対象文書が、操作者が第１のアイコンにより表される画像形成装置の利用を許可されていないことにより当該画像形成装置で処理不可能である場合に、前記第１のアイコンの表示を変更することに格別の困難性はない。
　
４．まとめ
　したがって、本願補正発明は、引用発明１、２及び周知技術に基いて当業者が容易に発明をすることができたものであるから、特許法第２９条第２項の規定により特許出願の際独立して特許を受けることができないものであるので、仮に、平成２１年１１月６日付けの手続補正が、平成１８年法律第５５号改正附則第３条第１項によりなお従前の例によるとされる同法による改正前の特許法第１７条の２第４項各号に規定するいずれかの要件を満たしているとしても、特許法第１７条の２第６項で準用する同法第１２６条第５項の規定に違反するものであり、特許法第１５９条第１項において読み替えて準用する特許法第５３条第１項の規定により却下されるべきものである。
　
第５　むすび
　以上のとおりであるから、本願は、他の請求項に係る発明について検討するまでもなく、拒絶すべきものである。
　よって、結論のとおり審決する。